(57)【特許請求の範囲】
【請求項１】
２個の接続孔が形成されたランプホルダを有する複数のランプと、先端に端子が接続された２本の電源用リード線と、遊技機の本体又は部品に取り付けられるホルダ部材とを備え、
前記ホルダ部材は、導電性金属板により形成された２つの導電部材を樹脂でカバーして構成し、
前記２本の電源用リード線の端子を前記２つの導電部材に１本ずつ導通した状態で差し込み保持する２個の保持部を前記ホルダ部材に設け、
前記２つの導電部材にそれぞれ複数個の嵌合孔を形成すると共に、各嵌合孔にランプ端子を圧入することで、前記２つの導電部材にそれぞれ複数個のランプ端子を電気的に接続した状態で立設し、
前記複数のランプを前記ホルダ部材に組み付ける際に、各々のランプのランプホルダの２個の接続孔を前記２つの導電部材のランプ端子に差し込むと共に、前記２本の電源用リード線の端子を前記２個の保持部に差し込み保持することで、前記複数のランプを前記２本の電源用リード線と電気的に接続した状態で前記ホルダ部材に組み付けることを特徴とする遊技機のランプ取付装置。
【請求項２】
前記ホルダ部材は、樹脂製のベース部材と樹脂製のカバー部材との間に前記導電部材を挟んで構成されていることを特徴とする請求項１に記載の遊技機のランプ取付装置。
【請求項３】
前記カバー部材は、前記ベース部材に熱融着されていることを特徴とする請求項２に記載の遊技機のランプ取付装置。
【請求項４】
前記保持部は、前記ホルダ部材の前記ランプ組付側に設けられていることを特徴とする請求項１乃至３のいずれかに記載の遊技機のランプ取付装置。
【発明の詳細な説明】
【０００１】
【発明の属する技術分野】
本発明は、ランプを遊技機の本体又は部品に取り付ける遊技機のランプ取付装置に関するものである。
【０００２】
【従来の技術】
近年のパチンコ機は、遊技盤のデザインの多様化に伴い、種々のイルミネーション機能を備えており、例えば、入賞装置にランプを内蔵したものがある。このランプの取付構造としては、例えば特許第２５１９４５７号公報に示すものがある。このものは、図８に示すように、電源用リード線１を半田付けした配線基板２のスルーホール３にランプ端子４を差し込んで半田付けすると共に、ランプ５を保持するゴム製ランプホルダ６に形成された接続孔７をランプ端子４に差し込むことで、ランプ５を配線基板２上に取り付けるようにしている。
【０００３】
【発明が解決しようとする課題】
しかしながら、上記従来の構成では、ランプ５と電源用リード線１との接続に配線基板２を用いるため、配線基板２とリード線１及び配線基板２とランプ端子４とを半田付けする必要があり、このような半田付け作業に手間がかかり、作業性が悪いという欠点がある。更に、配線基板２の配線導体が露出しているため、組付作業時や保守点検作業時に、配線導体や、配線導体とリード線１との半田付け部及び配線導体とランプ端子４との半田付け部を、損傷させてしまうおそれもあり、接続不良が発生しやすいという欠点もある。
【０００４】
本発明はこのような事情を考慮してなされたものであり、従ってその目的は、配線基板を用いなくてもランプと電源用リード線とを電気的に接続することができると共に、ランプと電源用リード線との接続不良を防止することができ、組付性及び信頼性を向上することができる遊技機のランプ取付装置を提供することにある。
【０００５】
【課題を解決するための手段】
上記目的を達成するために、本発明の請求項１の遊技機のランプ取付装置は、２個の接続孔が形成されたランプホルダを有する複数のランプと、先端に端子が接続された２本の電源用リード線と、遊技機の本体又は部品に取り付けられるホルダ部材とを備え、ホルダ部材は、導電性金属板により形成された２つの導電部材を樹脂でカバーして構成し、２本の電源用リード線の端子を２つの導電部材に１本ずつ導通した状態で差し込み保持する２個の保持部を前記ホルダ部材に設け、２つの導電部材にそれぞれ複数個の嵌合孔を形成すると共に、各嵌合孔にランプ端子を圧入することで、２つの導電部材にそれぞれ複数個のランプ端子を電気的に接続した状態で立設し、複数のランプをホルダ部材に組み付ける際に、各々のランプのランプホルダの２つの接続孔を２つの導電部材のランプ端子に差し込むと共に、２本の電源用リード線の端子を２個の保持部に差し込み保持することで、複数のランプを２本の電源用リード線と電気的に接続した状態でホルダ部材に組み付ける構成としたものである。
【０００６】
この構成によれば、配線基板を用いる必要がなく、複数のランプの接続孔をホルダ部材の各ランプ端子に差し込み、電源用リード線の端子をホルダ部材の保持部に差し込むという極めて簡単な方法で、複数のランプを電源用リード線と電気的に接続すると共にホルダ部材に組み付けることができる。また、電源用リード線の端子はホルダ部材の保持部に差し込むだけで接続できるため、保持部の位置によっては、ホルダ部材を遊技機の本体又は部品に取り付けた後から電源用リード線の端子をホルダ部材の保持部に接続することも可能である。更に、導電部材は樹脂でカバーされているため、導電部材や、導電部材と電源用リード線の端子、ランプ端子との接続部を損傷させてしまうことを防止できる。
しかも、ランプ端子を、導電部材に形成された嵌合孔に圧入固定するようにしたので、ランプ端子を導電部材の嵌合孔に圧入するという極めて簡単な作業で、ランプ端子を導電部材に電気的に接続し、且つ、固定することができる。
【０００７】
ここで、ホルダ部材は、導電部材をインサート成形することで、導電部材を樹脂でカバーするようにしても良いが、請求項２のように、ホルダ部材を、樹脂製のベース部材と樹脂製のカバー部材との間に導電部材を挟んで構成するようにしても良い。このようにすれば、複雑な型構造を必要とするインサート成形を行うことなく、導電部材を樹脂でカバーする構成を簡単に実現できる。
【０００８】
この場合、カバー部材をベース部材にねじ止めするようにしても良いが、請求項３のように、カバー部材をベース部材に熱融着するようにすると良い。このようにすれば、熱融着という極めて簡単な作業でカバー部材をベース部材に固定することができる。
【００１０】
また、請求項４のように、保持部を、ホルダ部材のランプ組付側に設けるようにすると良い。このようにすれば、ホルダ部材に対してランプと電源用リード線とを、同一方向から組み付けることができるため、作業性が良く、組付性が更に向上する。
【００１１】
【発明の実施の形態】
以下、本発明の一実施形態を図１乃至図７に基づいて説明する。例えば、パチンコ機の後述する風車装置３９（図７参照）には、イルミネーション効果が得られるように、裏面側から例えば２個のランプ１１が取り付けられている。各ランプ１１は、図１及び図２に示すように、それぞれランプホルダ１２を介してホルダ部材１３に組み付けらている。このランプホルダ１２はゴム等の弾性を有する材料で形成され、その前面に形成された嵌合凹部１４にランプ１１の後部が嵌合され、この嵌合部分が弾性力により締め付けられることで、ランプ１１がランプホルダ１２に保持されている。また、ランプホルダ１２には、２本の接続孔１５が、ランプホルダ１２の後面から嵌合凹部１４に貫通するように形成されている。そして、ランプ１１のランプ配線１６を各接続孔１５内に挿通してランプホルダ１２の後面から突出させ、その先端部分を折り曲げてランプホルダ１２に固定している。
【００１２】
また、ホルダ部材１３は、ランプ１１と電源用リード線１７とを接続するための導電部材１８を、例えばナイロン等の樹脂により形成されたベース部材１９とカバー部材２０との間に挟み込んでカバーするように構成されている。導電部材１８は、図５に示すように、１枚の導電性金属板を例えば打ち抜き加工して形成され、ホルダ部材１３の組立時に、各連結部２１（図５に二点鎖線で示す部分）を切り落とすことで、２枚に切り離される。各導電部材１８には、電源用リード線１７の先端に圧着された電源端子２２（図１参照）と接続される電源接続部２３が折曲形成されている。また、各導電部材１８には、ランプ端子２４（図１参照）を圧入する嵌合孔２５が２つずつ形成され、各嵌合孔２５の内周部に、ランプ端子２４を固定するための複数の突部２６が形成されている。
【００１３】
図１乃至図４に示すように、ホルダ部材１３は、導電部材１８の各嵌合孔２５にランプ端子２４が後方から圧入されることで、ランプ端子２４が導電部材１８に電気的に接続された状態で固定されている。ランプ端子２４の圧入量は、ランプ端子２４の末端部に形成された鍔部２８が導電部材１８の裏面に突き当たることで規制されている。各ランプ端子２４が、ベース部材１９に形成された各端子孔２７にそれぞれ後方から挿入され、その先端部分が各端子孔２７から前方に突出している。
【００１４】
更に、ベース部材１９の前面には、電源用リード線１７の電源端子２２を差し込み保持する筒状の保持部２９が一体成形され、ホルダ部材１３に対してランプ１１と電源用リード線１７とを同一方向（前方）から組み付けることができるようになっている。前記導電部材１８の電源接続部２３は、この保持部２９内に突出している。
【００１５】
また、ベース部材１９の裏面の複数箇所には、取付突起３０が一体成形され、図２に示すように、これらの取付突起３０を、導電部材１８の挿通孔３１を挿通して、カバー部材２０に形成された各取付孔３２に嵌合させた状態で、各取付突起３０の先端部とカバー部材２０とを熱融着することで、ベース部材１９の裏面側にカバー部材２０が固定されている。尚、カバー部材２０は、ベース部材１９にねじ止めするようにしても良い。
【００１６】
一方、図１に示すように、電源用リード線１７の電源端子２２は、例えば黄銅板等の導電性金属板を折曲加工して形成され、電源用リード線１７の芯線に圧着されている。電源端子２２には、保持部２９の内寸法よりも若干小さい角形の筒状部３３が形成され、この筒状部３３の先端部から、弾性変形可能な接触子３４が折曲形成されている。この接触子３４は、電源端子２２を保持部２９に差し込んだ時に、やや下方に弾性変形した状態で電源接続部２３に圧接するようになっている。また、筒状部３３の下面には、下方に突出する係止爪３５が弾性変形可能に形成され、係止爪３５が保持部２９の下方に形成された被係止部３６に係止されることで、電源端子２２を導電部材１８と導通させた状態でホルダ部材１３に抜け止め保持するようになっている。尚、係止爪３５を上方に弾性変形させれば、電源端子２２を保持部２９から引き抜くことができ、電源用リード線１７を交換することもできる。
また、ホルダ部材１３には、風車装置３９ヘの組み付けに用いる二つの円孔３７とガイド部３８（図３参照）が形成されている。
【００１７】
図６及び図７に示すように、ランプ１１が取り付けられる風車装置３９は、風車ベース４０と、例えば半透明樹脂により形成された風車４１とから構成されている。風車ベース４０は、前面側からネジ止めにより遊技盤（図示せず）に取り付けられ、風車ベース４０の前方に、風車４１が軸ピン４２を介して回転自在に取り付けられている。風車ベース４０の裏面側には、ホルダー部材１３を取り付けるための支持部４３が２本突設され、上方の支持部４３に、ネジ穴４４が形成され、下方の支持部４３の先端には、嵌合突部４５が形成されている。
【００１８】
ランプ１１を風車装置３９に取り付ける場合は、まず、各ランプ１１を保持したランプホルダ１２の接続孔１５を、ホルダ部材１３の前方からランプ端子２４に差し込み、電源用リード線１７の電源端子２２を、ホルダ部材１３の前方から保持部２９に差し込む。これにより、各ランプ１１を電源用リード線１７と電気的に接続すると共に、各ランプ１１をホルダ部材１３に組み付ける。この後、このホルダ部材１３を、風車ベース４０に後方から宛がい、ホルダ部材１３の片方の円孔３７を、風車ベース４０の支持部４３先端の嵌合突部４５に嵌め込み、もう一つの円孔３７に挿入したネジ４６を他方の支持部４３のネジ穴４４に締め込むことで、ホルダ部材１３を風車ベース４０に固定し、ランプ１１を風車装置３９内に保持した状態にする（図７参照）。尚、ホルダ部材１３の風車ベース４０への取り付けは、ネジ止めに限定されるものではなく、例えば、ホルダ部材１３を風車ベース４０の支持部４３に、係合により取り付けるようにしても良い。
【００１９】
以上説明した実施形態によれば、配線基板を用いなくても、複数のランプ１１の接続孔１５をホルダ部材１３の各ランプ端子２４に差し込み、電源用リード線１７の電源端子２２をホルダ部材１３の保持部２９に差し込むという極めて簡単な方法で、複数のランプ１１を電源用リード線１７に電気的に接続した状態で組み付けることができ、組付性を向上させることができる。しかも、導電部材１８が、樹脂製のベース部材１９と樹脂製のカバー部材２０によってカバーされているため、組付作業時や保守点検作業時に、導電部材１８や、導電部材１８と電源端子２２、ランプ端子２４との接続部を、損傷させてしまうことがなくなり、ランプ１１と電源用リード線１７との接続不良を防止することができ、電気的接続の信頼性を向上させることができる。
【００２０】
また、上記実施形態では、電源端子２２の保持部２９を、ランプ１１の組付側であるホルダ部材１３の前面側に形成したので、ホルダ部材１３に対してランプ１１と電源用リード線１７とを同一方向（前方）から組み付けることができ、作業性が良く、この面からも組付性が向上する。しかも、ランプ１１と電源用リード線１７とが、ホルダ部材１３の同じ側（前面側）に組み付けられるため、装置全体の前後方向寸法を短くすることができて、装置を小型化することができ、狭いスペースでも取り付けることができる。
【００２１】
ところで、上述したように、電源用リード線１７の電源端子２２は保持部２９に差し込むだけで接続できるため、必ずしもホルダ部材１３の組立時に接続しておく必要はなく、電源用リード線１７を接続しない状態で出荷し、ユーザー側で仕様に応じた電源用リード線１７を接続するようにすることもできる。このようにすれば、在庫管理も容易になる。
【００２２】
また、上記実施形態では、保持部２９をホルダ部材１３の前面側に設け、電源用リード線１７をホルダ部材１３の前方から組み付けるようにしたが、保持部２９の位置や向きは、適宜、変更しても良く、例えば、電源用リード線１７をホルダ部材１３の側方や後方から組み付けるようにすれば、ホルダ部材１３を風車装置３９に取り付けた後からでも、電源用リード線１７をホルダ部材１３に接続することも可能となる。このようにすれば、電源用リード線１７を接続しない状態でホルダ部材１３を風車装置３９に組み付けることができ、組付性を向上させることができる。
【００２３】
更に、上記実施形態では、ホルダ部材１３は、樹脂製のベース部材１９と樹脂製のカバー部材２０との間に導電部材１８を挟むようにしているので、複雑な型構造を必要とするインサート成形を行うことなく、導電部材１８を樹脂でカバーする構成を簡単に実現することができる。しかしながら、ホルダ部材１３は、導電部材１８をインサート成形することで、導電部材１８を樹脂でカバーするようにしても良い。
【００２４】
尚、上記実施形態では、ホルダ部材１３に２個のランプ１１を組み付ける構成としているが、ランプ１１の個数は、２個に限定されるものではなく、ホルダ部材１３や導電部材１８の形状を適宜変更してランプ端子２４の数を変更し、ランプ１１を１個又は３個以上組み付ける構成としても良い。
【００２５】
また、上記実施形態は、本発明をパチンコ機の風車装置３９に適用したものであるが、風車装置３９以外に、チューリップ等の入賞装置、センター役物、遊技盤面周辺のイルミネーション装置等に本発明を適用したり、パチンコ機以外の遊技機に本発明を適用しても良い。また、ホルダ部材１３を取り付ける部分も、風車装置３９等の部品に限定されず、遊技機の本体（本体枠）に直接取り付けるようにしても良い。
【００２６】
【発明の効果】
以上の説明から明らかなように、本発明の請求項１の遊技機のランプ取付装置によれば、配線基板を用いることなく、複数のランプ及び電源用リード線を差し込み方式という極めて簡単な方法によって、複数のランプを電源用リード線と電気的に接続すると共にホルダ部材に組み付けることができ、組付性を向上させることができる。また、電源用リード線を、ホルダ部材を遊技機の本体又は部品に取り付けた後からホルダ部材に接続することも可能であり、ホルダ部材の組付性も向上させることができる。更に、導電部材が樹脂でカバーされているため、導電部材や、導電部材と電源用リード線の端子、ランプ端子との接続部の損傷による接続不良を防止することができ、電気的接続の信頼性を向上させることができる。しかも、ランプ端子を、導電部材に形成された嵌合孔に圧入固定するようにしたので、ランプ端子を導電部材の嵌合孔に圧入するという極めて簡単な作業で、ランプ端子を導電部材に電気的に接続し、且つ、固定することができ、ホルダ部材の組立性を向上することができる。
【００２７】
また、請求項２では、ホルダ部材を、樹脂製のベース部材と樹脂製のカバー部材との間に導電部材を挟んで構成するようにしたので、複雑な型構造を必要とするインサート成形を行わなくても、導電部材を樹脂でカバーする構成を簡単に実現することができる。
【００２８】
更に、請求項３では、カバー部材をベース部材に熱融着するようにしたので、熱融着という極めて簡単な作業でカバー部材をベース部材に固定することができ、ホルダ部材の組立性も向上する。
【００３０】
また、請求項４では、保持部を、ホルダ部材のランプ組付側に設けるようにしたので、ホルダ部材に対してランプと電源用リード線とを、同一方向から組み付けることができ、組付性を更に向上することができる。
【図面の簡単な説明】
【図１】本発明の一実施形態を示すランプ取付装置の断面図
【図２】図１のＡ−Ａ線に沿って示すランプ取付装置の断面図
【図３】ホルダ部材の正面図
【図４】ホルダ部材の分解図
【図５】導電部材の正面図
【図６】風車装置の縦断面図
【図７】風車装置の側面図
【図８】従来のランプ取付装置の断面図
【符号の説明】
１１…ランプ、１２…ランプホルダ、１３…ホルダ部材、１５…接続孔、１７…電源用リード線、１８…導電部材、１９…ベース部材、２０…カバー部材、２２…電源端子、２３…電源接続部、２４…ランプ端子、２５…嵌合孔、２７…端子孔、２９…保持部、３０…取付突起、３２…取付孔、３４…接触子、３９…風車装置、４０…風車ベース（部品）、４３…支持部。
【図１】
0003651830.tif 000002
【図２】
0003651830.tif 000003
【図３】
0003651830.tif 000004
【図４】
0003651830.tif 000005
【図５】
0003651830.tif 000006
【図６】
0003651830.tif 000007
【図７】
0003651830.tif 000008
【図８】
0003651830.tif 000009